【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】    【請求項１】縦方向に配置される回転軸により回転し、水槽内の水を吸い込む羽根車と；  前記羽根車の上流側に配置され、ケーシング壁によって形成された吸込管であって、前記ケーシング壁の内面を囲む環状の空気室を有する吸込管と；  前記空気室に一端が接続され、他端が前記水槽内の最高水位よりも上方に開口する空気管とを備え；  前記ケーシング壁の内面には吸気口が形成されており、前記空気室は前記吸気口により前記吸込管内と連通しており；  前記羽根車と前記吸気口との間の前記ケーシング壁の内面には、前記羽根車の回転による水の旋回を防止する旋回防止板が形成されている；  立軸ポンプ。    【請求項２】前記吸気口は、前記環状の空気室に沿ってスリット状に形成された、請求項１に記載の立軸ポンプ。    【請求項３】前記吸気口には、該吸気口を跨いで前記ケーシング壁の内面を上流側と下流側とで連結する支柱が形成されている、請求項２に記載の立軸ポンプ。    【請求項４】前記支柱は、前記空気室から前記吸込管内に向けて流れる空気を導く空気案内板を構成している、請求項３に記載の立軸ポンプ。    【請求項５】縦方向に配置される回転軸により回転し、水槽内の水を吸い込む羽根車と；  前記羽根車の上流側に配置され、ケーシング壁によって形成された吸込管であって、前記ケーシング壁の内面を囲む環状の空気室を有する吸込管と；  前記空気室に一端が接続され、他端が前記水槽内の最高水位よりも上方に開口する空気管とを備え；  前記ケーシング壁の内面には前記環状の空気室と前記吸込管とを連通するスリット状の吸気口が形成されており；  前記吸気口には、前記空気室から前記吸込管内に向けて流れる空気を導く空気案内板が配置されている；  立軸ポンプ。    【請求項６】前記空気案内板は、前記回転軸を中心とする半径方向に対して前記羽根車の回転方向に傾斜している、請求項４又は請求項５に記載の立軸ポンプ。    【請求項７】縦方向に配置される回転軸により回転し、水槽内の水を吸い込む羽根車と；  前記羽根車の上流側に配置され、ケーシング壁によって形成された吸込管と；  前記ケーシング壁の内面には吸気口が形成され、該吸気口に一端が連通され、他端が前記水槽内の最高水位よりも上方に開口する空気管とを備え；  前記吸込管は、前記ケーシング壁の内面との間に環状の内筒空間を形成する内筒を、前記羽根車と前記吸気口との間に有し、該内筒の上流側は前記吸気口の近傍で前記ケーシング壁の内面に接続され、該内筒は前記水の流れに沿って流路面積が小さくなる先細ノズルを形成しており、前記内筒空間は下流側で前記羽根車に対向して開放され、前記内筒の前記ケーシング壁の内面との接続部の近傍には前記内筒空間と前記流路とを連通する孔が形成されている；  立軸ポンプ。    【請求項８】前記吸込管は前記ケーシング壁の内面を囲み前記空気管の一端が接続された環状の空気室を有し、前記吸気口は前記空気室と前記吸込管とを連通させるように前記空気室に沿ってスリット状に形成されている、請求項７に記載の立軸ポンプ。    【請求項９】縦方向に配置される回転軸により回転し、水槽内の水を吸い込む羽根車と；  前記羽根車の上流側に配置され、ケーシング壁によって形成された吸込管であって、前記ケーシング壁の内面を囲む環状の空気室を有する吸込管と；  前記空気室に一端が接続され、他端が前記水槽内の最高水位よりも上方に開口する空気管とを備え；  前記ケーシング壁の内面には前記環状の空気室と前記吸込管とを連通するスリット状の吸気口が形成されており；  前記吸込管は、前記羽根車と前記吸気口との間に、前記ケーシング壁の内面との間に環状の内筒空間を形成する内筒を有し、前記内筒空間には前記内筒と前記ケーシング壁の内面とを連結する支持板が配置され、前記内筒空間は上流側で前記吸気口近傍で前記流路に開放され、下流側で前記羽根車に対向して開放されている；  立軸ポンプ。    【請求項１０】前記吸気口には、該吸気口を跨いで前記ケーシング壁の内面を上流側と下流側とで連結する支柱が形成されている、請求項８又は請求項９に記載の立軸ポンプ。    【請求項１１】縦方向に配置される回転軸により回転し、水槽内の水を吸い込む羽根車と；  前記羽根車の上流側に配置され、ケーシング壁によって形成された吸込管であって、前記ケーシング壁の内面を囲む環状の空気室を有する吸込管と；  前記空気室に一端が接続され、他端が前記水槽内の最高水位よりも上方に開口する空気管とを備え；  前記ケーシング壁の内面には前記環状の空気室と前記吸込管とを連通するスリット状の吸気口が吸込管の全周にわたって形成されており；  前記吸気口と前記羽根車の間には、ケーシングトリートメントが形成され；  前記ケーシングトリートメントは、前記吸込管のケーシング壁と該吸込管のケーシング壁の外側に配置された外ケーシングとを含んで構成され、前記吸込管のケーシング壁と外ケーシングとの間の空間は、一方が前記羽根車の入口翼端部分に開口し、他方が前記吸気口の近傍に開口した、軸方向に長さを有する戻り流路を構成している；  立軸ポンプ。    【請求項１２】前記吸気口には、該吸気口を跨いで前記吸込管のケーシング壁を上流側と下流側とで連結する支柱が形成されている、請求項１１に記載の立軸ポンプ。    【請求項１３】縦方向に配置される回転軸により回転し、水槽内の水を吸い込む羽根車と；  前記羽根車の上流側に配置され、ケーシング壁によって形成された吸込管とを備え；    前記吸込管は、前記ケーシング壁の内面との間に環状の内筒空間を形成する内筒を有する；    立軸ポンプ。    【請求項１４】一端から前記吸込管内に空気を導入する空気管であって、他端が前記水槽内の最高水位よりも上方に開口する空気管を備え；  前記内筒空間は下流側が前記羽根車に対向して開放されており；  前記空気管による前記吸込管への空気導入口は前記内筒内に開口している； 請求項１３に記載の立軸ポンプ。    【請求項１５】前記吸込管はベルマウス状に形成されており、前記内筒の上流側は、前記ベルマウスに沿うように延長された、請求項１３又は請求項１４に記載の立軸ポンプ。    【請求項１６】縦方向に配置される回転軸により回転し、水槽内の水を吸い込む羽根車と；  前記羽根車の上流側に配置され、ケーシング壁によって形成された吸込管であって、前記ケーシング壁の内面を囲む環状の空気室を有する吸込管と；  前記空気室に一端が接続され、他端が前記水槽内の最高水位よりも上方に開口する空気管とを備え；  前記ケーシング壁の内面には前記環状の空気室と前記吸込管とを連通するスリット状の吸気口が形成されており；  前記空気室内には前記空気管から前記空気室に流入する空気を導く空気案内板が配置されている；  立軸ポンプ。【手続補正２】
【補正対象書類名】明細書
【補正対象項目名】０００７
【補正方法】変更
【補正の内容】
【０００７】    【課題を解決するための手段】  上記目的を達成するために、請求項１に係る発明による立軸ポンプ１０は、例えば図１に示されるように、縦方向に配置される回転軸２１により回転し、水槽１内の水を吸い込む羽根車２０と；羽根車２０の上流側に配置され、ケーシング壁によって形成された吸込管３１であって、前記ケーシング壁の内面を囲む環状の空気室５０を有する吸込管３１と；空気室５０に一端が接続され、他端が水槽１内の最高水位ＨＷＬよりも上方に開口する空気管６０とを備え；前記ケーシング壁の内面には吸気口５１ａが形成されており、空気室５０は吸気口５１ａにより吸込管３１内と連通しており；羽根車２０と吸気口５１ａとの間の前記ケーシング壁の内面には、羽根車２０の回転による水の旋回を防止する旋回防止板７０が形成されている。【手続補正３】
【補正対象書類名】明細書
【補正対象項目名】００１３
【補正方法】変更
【補正の内容】
【００１３】  前記目的を達成するために、請求項５に係る発明による立軸ポンプは、例えば図４に示されるように、縦方向に配置される回転軸２１により回転し、水槽１内の水を吸い込む羽根車２０と；羽根車２０の上流側に配置され、ケーシング壁によって形成された吸込管３１であって、前記ケーシング壁の内面を囲む環状の空気室５０を有する吸込管３１と；空気室５０に一端が接続され、他端が水槽１内の最高水位ＨＷＬよりも上方に開口する空気管６０とを備え；前記ケーシング壁の内面には環状の空気室５０と吸込管３１とを連通するスリット状の吸気口５２が形成されており；吸気口５２には、空気室５０から吸込管３１内に向けて流れる空気を導く空気案内板５２ａ〜５２ｄが配置されている。このとき、旋回防止板７０は備えなくてもよい。
【手続補正４】
【補正対象書類名】明細書
【補正対象項目名】００１６
【補正方法】変更
【補正の内容】
【００１６】  前記目的を達成するために、請求項７に係る発明による立軸ポンプは、例えば図５に示されるように、縦方向に配置される回転軸２１により回転し、水槽１内の水を吸い込む羽根車２０と；羽根車２０の上流側に配置され、ケーシング壁によって形成された吸込管３１と；前記ケーシング壁の内面には吸気口５１ｂが形成され、吸気口５１ｂに一端が連通され、他端が水槽１内の最高水位ＨＷＬよりも上方に開口する空気管６０とを備え；吸込管３１は、前記ケーシング壁の内面との間に環状の内筒空間８１ａを形成する内筒８１を、羽根車２０と吸気口５１ｂとの間に有し、内筒８１の上流側は吸気口５１ｂの近傍で前記ケーシング壁の内面に接続され、内筒８１は水の流れに沿って流路面積が小さくなる先細ノズルを形成しており、内筒空間８１ａは下流側で羽根車２０に対向して開放され、内筒８１の前記ケーシング壁の内面との接続部の近傍には内筒空間８１ａと流路３６とを連通する孔８２が形成されている。
【手続補正５】
【補正対象書類名】明細書
【補正対象項目名】００１９
【補正方法】変更
【補正の内容】
【００１９】  前記目的を達成するために、請求項９に係る発明による立軸ポンプは、例えば図７に示されるように、縦方向に配置される回転軸２１により回転し、水槽１内の水を吸い込む羽根車２０と；羽根車２０の上流側に配置され、ケーシング壁によって形成された吸込管３１であって、前記ケーシング壁の内面を囲む環状の空気室５０を有する吸込管３１と；空気室５０に一端が接続され、他端が水槽１内の最高水位ＨＷＬよりも上方に開口する空気管６０とを備え；前記ケーシング壁の内面には環状の空気室５０と吸込管３１とを連通するスリット状の吸気口５１ａが形成されており；吸込管３１は、羽根車２０と吸気口５１ａとの間に、前記ケーシング壁の内面との間に環状の内筒空間８４を形成する内筒８３を有し、内筒空間８４には内筒８３と前記ケーシング壁の内面とを連結する支持板８４ａが配置され、内筒空間８４は上流側で吸気口５１ａ近傍で流路３６に開放され、下流側で羽根車２０に対向して開放されている。
【手続補正６】
【補正対象書類名】明細書
【補正対象項目名】００２３
【補正方法】変更
【補正の内容】
【００２３】  前記目的を達成するために、請求項１１に係る発明による立軸ポンプは、例えば図８に示されるように、縦方向に配置される回転軸２１により回転し、水槽１内の水を吸い込む羽根車２０と；羽根車２０の上流側に配置され、ケーシング壁によって形成された吸込管３１であって、前記ケーシング壁の内面を囲む環状の空気室５０を有する吸込管３１と；空気室５０に一端が接続され、他端が水槽１内の最高水位ＨＷＬよりも上方に開口する空気管６０とを備え；前記ケーシング壁の内面には環状の空気室５０と吸込管３１とを連通するスリット状の吸気口５１ａが吸込管３１の全周にわたって形成されており；吸気口５１ａと羽根車２０の間には、ケーシングトリートメント８５が形成され；前記ケーシングトリートメント８５は、前記吸込管のケーシング壁と該吸込管のケーシング壁の外側に配置された外ケーシング３１ｅとを含んで構成され、前記吸込管のケーシング壁と外ケーシング３１ｅとの間の空間３１ｆは、一方が羽根車２０の入口翼端部分に開口３１ｂし、他方が吸気口５１ａの近傍に開口した、軸方向に長さを有する戻り流路を構成している。
【手続補正７】
【補正対象書類名】明細書
【補正対象項目名】００２５
【補正方法】変更
【補正の内容】
【００２５】 前記目的を達成するために、請求項１３に係る発明による立軸ポンプは、例えば図９に示されるように、縦方向に配置される回転軸２１により回転し、水槽１内の水を吸い込む羽根車２０と；羽根車２０の上流側に配置され、ケーシング壁によって形成された吸込管３１とを備え；吸込管３１は、前記ケーシング壁の内面との間に環状の内筒空間９２を形成する内筒９１を有する。 また請求項１４に記載のように請求項１３による立軸ポンプは、例えば図９に示されるように、一端から吸込管３１内に空気を導入する空気管６０であって、他端が水槽１内の最高水位ＨＷＬよりも上方に開口する空気管６０を備え；内筒空間９２は下流側が羽根車２０に対向して開放されており；空気管６０による吸込管３１への空気導入口は内筒９１内に開口していてもよい。
【手続補正８】
【補正対象書類名】明細書
【補正対象項目名】００２７
【補正方法】変更
【補正の内容】
【００２７】  また請求項１５に記載のように、吸込管３１はベルマウス状に形成されており、内筒９３の上流側は、前記ベルマウスに沿うように延長されていてもよい（例えば図９（ｂ）参照）。
【手続補正９】
【補正対象書類名】明細書
【補正対象項目名】００２８
【補正方法】変更
【補正の内容】
【００２８】  前記目的を達成するために、請求項１６に係る発明による立軸ポンプは、例えば図１０に示されるように、縦方向に配置される回転軸により回転し、水槽内の水を吸い込む羽根車２０（例えば図１参照）と；羽根車２０の上流側に配置され、ケーシング壁によって形成された吸込管３１であって、前記ケーシング壁の内面を囲む環状の空気室５０を有する吸込管３１と；空気室５０に一端が接続され、他端が前記水槽内の最高水位ＨＷＬよりも上方に開口する空気管６０とを備え；前記ケーシング壁の内面には前記環状の空気室５０と吸込管３１とを連通するスリット状の吸気口５１ａが形成されており；空気室５０内には空気管６０から空気室５０に流入する空気を導く空気案内板７１が配置されている。